(57)【要約】参加者をグループ化しておき、おのおののグループにてオンラインコミュニケーションによって発言／情報交換を行うとともに、各グループでの話題／議事の進行状態に合わせて、新規グループの生成・グループの統合・分割・メンバ交換を行うことにより、大人数でのオンラインアイディア創出会議を実現する。グループ情報の変更は、各グループの議論の内容ならびに発言者の状態を監視するグループ内討議監視エンジンと各グループの生成や参加メンバを制御するグループ情報制御エンジンが行う。各グループでの独立した議論を実現するために、リアルタイムコミュニケーションと短時間のタイムシフト再生を連携して用いる。
2008078555.tif 000002
【特許請求の範囲】
【請求項１】
参加者を複数のグループにグループ化し、同一グループにグループ化された参加者の端末間で双方向通信を行うように通信制御をするグループ会議制御方法において、
参加者のグループ分けを会議中に変更することを特徴とするグループ会議制御方法。
【請求項２】
前記グループ分けの変更は、会議の状態を観測することで随時行われることを特徴とする請求項１に記載のグループ会議制御方法。
【請求項３】
前記グループ分けの変更は、参加者が増えた場合、または、参加者が会議参加を終了した際に行われることを特徴とする請求項１又は請求項２に記載のグループ会議制御方法。
【請求項４】
前記グループ分けの変更は、グループでの会議での発言量または発言内容の少なくともいずれか一方を解析することにより行われることを特徴とする請求項１又は請求項２に記載のグループ会議制御方法。
【請求項５】
前記グループ分けの変更は、前記各グループの状態観測により各グループ非同期に行われることを特徴とする請求項１から請求項４のいずれかに記載のグループ会議制御方法。
【請求項６】
前記グループ分けの変更は、複数グループの統合、特定グループの分割、特定グループ間でのメンバ交換のいずれかひとつ、または、組み合わせであることを特徴とする請求項１から請求項５のいずれかに記載のグループ会議制御方法。
【請求項７】
参加者のグループ分けは、各参加者の発言履歴を解析することにより行われることを特徴とする請求項１から請求項６のいずれかに記載のグループ会議制御方法。
【請求項８】
参加者のグループ分けは、事前に作成した参加者の属性情報を利用することを特徴とする請求項１から請求項６のいずれかに記載のグループ会議制御方法。
【請求項９】
参加者のグループ分けを会議管理者の指示により行うことを特徴とする請求項１からから請求項６のいずれかに記載のグループ会議制御方法。
【請求項１０】
各グループでの会議の発言量を観測し、発言量少ないグループについてグループ分けを変更することを特徴とする請求項１から請求項９のいずれかに記載のグループ会議制御方法。
【請求項１１】
会議の初めまたは途中で、複数グループの参加者に対して同一の質問を送信し、質問に対する回答に基づいてグループ分類を行うことを特徴とする請求項１から請求項１０のいずれかに記載のグループ会議制御方法。
【請求項１２】
グループ分けが行われた後に各参加者間で、それぞれの参加者の発言履歴を参照できるようにすることを特徴とした請求項１から請求項１１のいずれかに記載のグループ会議制御方法。
【請求項１３】
前記グループ分け実行後に、参加者の発言要約等をタイムシフト再生することを特徴とする請求項１から請求項１２のいずれかに記載のグループ会議制御方法。
【請求項１４】
前記タイムシフト再生により、ひとつまたは複数のグループ間でのメンバ交代のタイミングを同期させることを特徴とする請求項１３に記載のグループ会議制御手段。
【請求項１５】
参加者を複数のグループにグループ化し、同一グループにグループ化された参加者の端末間で双方向通信を行うように通信の制御をするグループ会議制御システムにおいて、
参加者のグループ分けを会議中に変更する変更手段を有することを特徴とするグループ会議制御システム。
【請求項１６】
前記変更手段は、前記グループ分けの変更を、会議の状態を観測することで随時行うことを特徴とする請求項１５に記載のグループ会議制御システム。
【請求項１７】
前記変更手段は、前記グループ分けの変更を、参加者が増えた場合、または、参加者が会議参加を終了した際に行うことを特徴とする請求項１５又は請求項１６に記載のグループ会議制御システム。
【請求項１８】
前記変更手段は、前記グループ分けの変更を、グループでの会議での発言量、または、発言内容の少なくともいずれか一方を解析することにより行うことを特徴とする請求項１５又は請求項１６に記載のグループ会議制御システム。
【請求項１９】
前記変更手段は、前記グループ分けの変更を、前記各グループの状態観測により各グループ非同期に行うことを特徴とする請求項１５から請求項１８のいずれかに記載のグループ会議制御システム。
【請求項２０】
前記変更手段は、前記グループ分けの変更を、複数グループの統合、特定グループの分割、特定グループ間でのメンバ交換のいずれかひとつ、または、組み合わせ行うことを特徴とする請求項１５から請求項１９のいずれかに記載のグループ会議制御システム。
【請求項２１】
前記変更手段は、参加者のグループ分けを、各参加者の発言履歴を解析することにより行われることを特徴とする請求項１５から請求項２０のいずれかに記載のグループ会議制御システム。
【請求項２２】
前記変更手段は、参加者のグループ分けを、事前に作成した参加者の属性情報を利用することを特徴とする請求項１５から請求項２０のいずれかに記載のグループ会議制御システム。
【請求項２３】
前記変更手段は、参加者のグループ分けを、会議管理者の指示により行うことを特徴とする請求項１５から請求項２０のいずれかに記載のグループ会議制御システム。
【請求項２４】
前記変更手段は、各グループでの会議の発言量を観測し、発言量少ないグループについてグループ分けを変更することを特徴とする請求項１５から請求項２３のいずれかに記載のグループ会議制御システム。
【請求項２５】
前記変更手段は、会議の初めまたは途中で、複数グループの参加者に対して同一の質問を送信し、質問に対する回答に基づいてグループ分類を行うことを特徴とする請求項１５から請求項２４のいずれかに記載のグループ会議制御システム。
【請求項２６】
前記変更手段は、グループ分けが行われた後に各参加者間で、それぞれの参加者の発言履歴を参照できるようにすることを特徴とした請求項１５から請求項２５のいずれかに記載のグループ会議制御システム。
【請求項２７】
前記変更手段は、前記グループ分け実行後に、参加者の発言要約等をタイムシフト再生することを特徴とする請求項１５から請求項２６のいずれかに記載のグループ会議制御システム。
【請求項２８】
前記変更手段は、前記タイムシフト再生により、ひとつまたは複数のグループ間でのメンバ交代のタイミングを同期させることを特徴とする請求項２７に記載のグループ会議制御システム。
【請求項２９】
参加者を複数のグループにグループ化し、同一グループにグループ化された参加者の端末間で双方向通信を行うように通信制御をするグループ会議制御システムのプログラムであって、
参加者のグループ分けを会議中に変更する変更処理を情報処理装置に実行させることを特徴とするプログラム。
【請求項３０】
前記変更処理は、前記グループ分けの変更を、会議の状態を観測することで随時行うことを特徴とする請求項２９に記載のプログラム。
【請求項３１】
前記変更処理は、前記グループ分けの変更を、参加者が増えた場合、または、参加者が会議参加を終了した際に行うことを特徴とする請求項２９又は請求項３０に記載のプログラム。
【請求項３２】
前記変更処理は、前記グループ分けの変更を、グループでの会議での発言量、または、発言内容の少なくともいずれか一方を解析することにより行うことを特徴とする請求項２９又は請求項３１に記載のプログラム。
【請求項３３】
前記変更処理は、前記グループ分けの変更を、前記各グループの状態観測により各グループ非同期に行うことを特徴とする請求項２９から請求項３２のいずれかに記載のプログラム。
【請求項３４】
前記変更処理は、前記グループ分けの変更を、複数グループの統合、特定グループの分割、特定グループ間でのメンバ交換のいずれかひとつ、または、組み合わせ行うことを特徴とする請求項２９から請求項３３のいずれかに記載のプログラム。
【請求項３５】
前記変更処理は、参加者のグループ分けを、各参加者の発言履歴を解析することにより行われることを特徴とする請求項２９から請求項３４のいずれかに記載のプログラム。
【請求項３６】
前記変更処理は、参加者のグループ分けを、事前に作成した参加者の属性情報を利用することを特徴とする請求項２９から請求項３４のいずれかに記載のプログラム。
【請求項３７】
前記変更処理は、参加者のグループ分けを、会議管理者の指示により行うことを特徴とする請求項２９から請求項３４のいずれかに記載のプログラム。
【請求項３８】
前記変更処理は、各グループでの会議の発言量を観測し、発言量少ないグループについてグループ分けを変更することを特徴とする請求項２９から請求項３７のいずれかに記載のプログラム。
【請求項３９】
前記変更処理は、会議の初めまたは途中で、複数グループの参加者に対して同一の質問を送信し、質問に対する回答に基づいてグループ分類を行うことを特徴とする請求項２９から請求項３８のいずれかに記載のプログラム。
【請求項４０】
前記変更処理は、グループ分けが行われた後に各参加者間で、それぞれの参加者の発言履歴を参照できるようにすることを特徴とした請求項２９から請求項３９のいずれかに記載のプログラム。
【請求項４１】
前記変更処理は、前記グループ分け実行後に、参加者の発言要約等をタイムシフト再生することを特徴とする請求項２９から請求項４０のいずれかに記載のプログラム。
【請求項４２】
前記変更処理は、前記タイムシフト再生により、ひとつまたは複数のグループ間でのメンバ交代のタイミングを同期させることを特徴とする請求項４１に記載のプログラム。
【発明の詳細な説明】
【技術分野】
【０００１】
本発明は、ネットワークを利用した会議・コミュニケーション一般に関し、より具体的には、オンラインによるアイディア創出／意思決定等の会議を多人数で同時に行う際の参加者間の情報交換を制御する会議制御方法、システム及びプログラムに関する。
【背景技術】
【０００２】
電子メール・テレビ電話などのコミュニケーション手段を用いて、遠隔地にいる人間同士を接続し、会議などを通じて意思決定を行う遠隔会議システムや、意見を収集してアイディアを創出する知識支援システムは数多く提案されている。【０００３】
従来の知識支援システムの一例が、特許文献１に記載されている。特許文献１では、仮想コミュニティに投稿されたメッセージを分類・蓄積し、同一スレッド内にて互いに関連するメッセージ群から重複部分を除去した簡易要約を「まとめ」として作成することにより、個人のノウハウなどの知識を収集する方式が提案されている。【０００４】
また、従来の遠隔地間会議支援システムの一例が、特許文献２に記載されている。特許文献２では、通信相手のサイトの前方から撮影した参加者の近景映像と、広報から撮影したプレゼンテーターを含めた会議の全景映像と、共有画面により、ブレインストーミング等における参加者の円滑なコミュニケーションを支援する方式が提案されている。【０００５】
【特許文献１】特開２００２−３４２３４６号公報
【特許文献２】特開平６−３１１５１０号公報
【発明の開示】
【発明が解決しようとする課題】
【０００６】
従来提案されている意思決定のための遠隔会議システムや、知識支援システムでは、以下のような問題が存在する。【０００７】
第一の問題点は、参加者間のインタラクティブ性／臨場感を重視した特許文献１のようなテレビ会議システムは、映像による画面共有を特徴としているため、一度に同時に表示できる人数の制約から、参加者の数が制限され、大量の人々からの意見創出・会議を行うことができないという点である。【０００８】
第二の問題点は、大人数からのアイディア創出を目指した、特許文献２のようなシステムは、オフラインでの情報収集となるため、他人とのインタラクティブなコミュニケーションの中で、自分の発想を刺激して意見を創出する作業を支援することができないという点である。【０００９】
そこで、本発明は上記課題に鑑みて発明されたものであって、その目的は、会議参加への臨場感や参加者間のインタラクティブなコミュニケーションを損なうことなく、大人数からの意見の収集・まとめを実現し、アイディア創出や意思決定、教育などの効果を向上させる方式の提供することにある。
【課題を解決するための手段】
【００１０】
上記課題を解決する本発明は、参加者を複数のグループにグループ化し、同一グループにグループ化された参加者の端末間で双方向通信を行うように通信制御をするグループ会議制御方法において、参加者のグループ分けを会議中に変更することを特徴とする。【００１１】
上記課題を解決する本発明は、参加者を複数のグループにグループ化し、同一グループにグループ化された参加者の端末間で双方向通信を行うように通信の制御をするグループ会議制御システムにおいて、参加者のグループ分けを会議中に変更する変更手段を有することを特徴とする。【００１２】
上記課題を解決する本発明は、参加者を複数のグループにグループ化し、同一グループにグループ化された参加者の端末間で双方向通信を行うように通信制御をするグループ会議制御システムのプログラムであって、参加者のグループ分けを会議中に変更する変更処理を情報処理装置に実行させることを特徴とする。【００１３】
更に詳細には、本発明のグループ会議システムは、ネットワークに接続された複数の端末と、ネットワークに接続され、各端末間にて行われる討議の状態を監視して、端末間の双方向通信を制御するグループ会議制御サーバよって構成され、グループ制御サーバは、各参加者端末間で行われるグループ討議の状態を監視する、グループ内討議監視手段と、グループ内討議の状態に基づき端末間の通信制御を行う端末間通信制御手段と参加者端末との信号の送受信を行う信号通信手段とを備え、端末間通信制御手段が、各参加者を複数のサブグループに分割し同一グループにグループ化された参加者の端末間で双方向通信を行うように通信制御を行うとともに、グループ内討議監視手段の観測する各サブグループでの討議内容に応じて、参加者のグループ分けを会議中に変更するよう動作する。このような構成を採用することにより、各サブグループ間では、少人数での会議参加によるインタラクティブなコミュニケーションを実現しながら、会議中の的確なグループ変更により、会議に参加している全参加者からの意見収集やコミュニケーションを実現することができ、本発明の目的を達成することができる。【００１４】
また、本発明のグループ会議システムは、ネットワークに接続された複数の端末と、ネットワークに接続され、各端末間にて行われる討議の状態を監視して、端末間の双方向通信を制御するグループ会議制御サーバよって構成され、グループ制御サーバは、各参加者端末間で行われるグループ討議の状態を監視する、グループ内討議監視手段と、グループ内討議の状態に基づき端末間の通信制御を行う端末間通信制御手段と会議への参加者の情報を記憶する参加者情報記憶手段と、会議の内容を記録して出力する記録手段と参加者端末との信号の送受信を行う信号通信手段とを備え、端末間通信制御手段が、各参加者を複数のサブグループに分割し同一グループにグループ化された参加者の端末間で双方向通信を行うように通信制御を行うとともに、グループ内討議監視手段の観測する各サブグループでの討議内容と参加者情報記憶手段が記憶する各参加者の情報に応じて、参加者のグループ分けを会議中に変更するよう動作する。また、記録手段は、会議の内容を記録して、必要に応じて出力する。このような構成を採用することにより、各サブグループ間では、少人数での会議参加によるインタラクティブなコミュニケーションを実現しながら、各グループ内の討議の状態や各参加者の特性に応じて的確にグループ変更を行うことができる。【００１５】
更に、会議に参加している全参加者からの意見収集やコミュニケーションを実現することができ、また、会議の結果を適切に出力することができ、本発明の目的を達成することができる。【００１６】
また、本発明のグループ会議システムは、ネットワークに接続された複数の端末と、ネットワークに接続され、各端末間にて行われる討議の状態を監視して、端末間の双方向通信を制御するグループ会議制御サーバよって構成され、グループ制御サーバは、各参加者端末間で行われるグループ討議の状態を監視する、グループ内討議監視手段と、グループ内討議の状態に基づき端末間の通信制御を行う端末間通信制御手段と会議への参加者の情報を記憶する参加者情報記憶手段と、会議の内容を記録して出力する記録手段と各グループの討議の状態について管理者がモニタリングし、必要に応じて指示を与える管理者指示手段と参加者端末との信号の送受信を行う信号通信手段とを備え、端末間通信制御手段が、各参加者を複数のサブグループに分割し同一グループにグループ化された参加者の端末間で双方向通信を行うように通信制御を行うとともに、グループ内討議監視手段の観測する各サブグループでの討議内容と参加者情報記憶手段が記憶する各参加者の情報に応じて、参加者のグループ分けを会議中に変更するよう動作するとともに、管理者の指示によりグループ変更を制御することを可能とする。【００１７】
また、記録手段は、会議の内容を記録して、必要に応じて出力する。このような構成を採用することにより、各サブグループ間では、少人数での会議参加によるインタラクティブなコミュニケーションを実現しながら、各グループ内の討議の状態や各参加者の特性ならびに会議主催者の意向に応じて的確にグループ変更を行うことができる。【００１８】
更に、会議に参加している全参加者からの意見収集やコミュニケーションを実現することができ、また、会議の結果を適切に出力することができ、本発明の目的を達成することができる。【００１９】
また、本発明のグループ会議システムは、ネットワークに接続された複数の端末と、ネットワークに接続され、各端末間にて行われる討議の状態を監視して、端末間の双方向通信を制御するグループ会議制御サーバよって構成され、グループ制御サーバは、各参加者端末間で行われるグループ討議の状態を監視する、グループ内討議監視手段と、グループ内討議の状態に基づき端末間の通信制御を行う端末間通信制御手段と会議への参加者の情報を記憶する参加者情報記憶手段と、会議の内容を記録して出力する記録手段と各グループの討議の状態について管理者がモニタリングし、必要に応じて指示を与える管理者指示手段と各参加者に対し提示する通信情報を一時的に蓄えて、各参加者間に送信する情報のタイムシフト送信を行う提示情報制御手段と参加者端末との信号の送受信を行う信号通信手段とを備え、端末間通信制御手段が、各参加者を複数のサブグループに分割し同一グループにグループ化された参加者の端末間で双方向通信を行うように通信制御を行うとともに、グループ内討議監視手段の観測する各サブグループでの討議内容と参加者情報記憶手段が記憶する各参加者の情報に応じて、参加者のグループ分けを会議中に変更するよう動作するとともに、管理者の指示によりグループ変更を制御することを可能とする。【００２０】
また、記録手段は、会議の内容を記録して、必要に応じて出力する。このような構成を採用することにより、各サブグループ間では、少人数での会議参加によるインタラクティブなコミュニケーションを実現しながら、各グループ内の討議の状態や各参加者の特性ならびに会議主催者の意向に応じて的確にグループ変更を行うことができる。提示情報制御手段により、臨場感を損なうことなく各グループ間のメンバ変更を非同期に行うことができる。【００２１】
更に、会議に参加している全参加者からの意見収集やコミュニケーションを実現することができ、また、会議の結果を適切に出力することができ、本発明の目的を達成することができる。【００２２】
また、本発明のグループ会議システムは、ネットワークに接続された複数の端末上のみから構成され、端末では、参加者の発言を入力する信号入力手段と、ネットワーク上で双方向通信を行っている他端末の参加者の発言を提示する信号提示手段とグループ内討議の情報を交換する情報交換手段と、収集された情報に応じて接続を制御する通信制御手段と、参加者端末との信号の送受信を行う信号通信手段とを備え、端末間で情報を交換しながら自律的に接続状態を決定し、通信制御を行う。このような構成をとることによって、各サブグループ間では、少人数での会議参加によるインタラクティブなコミュニケーションを実現しながら、会議中の的確なグループ変更により、会議に参加している全参加者からの意見収集やコミュニケーションを実現することができ、本発明の目的を達成することができる。
【発明の効果】
【００２３】
本発明の第一の効果は、少人数のサブグループでのディスカッションを行うことにより、大人数参加の会議でありながら、会議参加の臨場感やインタラクティブ性を実現できることにある。【００２４】
本発明の第二の効果は、参加者のサブグループ間のメンバを会議中に的確に変更することにより、参加者間の臨場感のあるインタラクティブなコミュニケーションを維持しながら、多数の参加者とのコミュニケーションを行うなど、いろいろな意見を収集できることにある。
【図面の簡単な説明】
【００２５】
【図１】図１は第１の実施の形態におけるグループ会議制御システムのブロック図である。
【図２】図２は第１の実施の形態におけるグループ内討議監視手段のブロック図である。
【図３】図３は第１の実施の形態における端末間通信制御手段のブロック図である。
【図４】図４はグループ内／参加者発言の解析結果に伴う、端末間接続制御の一例を示す図である。
【図５】図５は第１の実施の形態におけるグループ会議制御システムの処理フローを示した図である。
【図６】図６は第２の実施の形態におけるグループ会議制御システムのブロック図である。
【図７】図７は第２の実施の形態における端末間通信制御手段のブロック図である。
【図８】図８は第２の実施の形態における記録手段のブロック図である。
【図９】図９は第２の実施の形態におけるグループ会議制御システムの処理フローを示した図である。
【図１０】図１０は第３の実施の形態におけるグループ会議制御システムのブロック図である。
【図１１】図１１は第３の実施の形態における端末間通信制御手段のブロック図である。
【図１２】図１２は第３の実施の形態における管理者指示手段のブロック図である。
【図１３】図１３は第３の実施の形態におけるグループ会議制御システムの処理フローを示した図である。
【図１４】図１４は第４の実施の形態におけるグループ会議制御システムのブロック図である。
【図１５】図１５は第４の実施の形態における提示情報制御手段のブロック図である。
【図１６】図１６は第４の実施の形態における提示情報制御の処理フローを示した図である。
【図１７】図１７は第４の実施における提示情報制御の一例を示した図である。
【図１８】図１８は第５の実施の形態におけるグループ会議制御システムのブロック図である。
【符号の説明】
【００２６】
1110,1120,…,11Ｎ0      端末
1111                    信号入力手段
1112                    信号提示手段
1113                    信号通信手段
1200                  グループ会議制御サーバ
【発明を実施するための最良の形態】
【００２７】
＜第１の実施の形態＞
本発明を実施するための第１の実施の形態について図面を参照して説明する。【００２８】
図１を参照すると本発明の第１の実施の形態は、ネットワーク上に接続された複数の端末1110,1120,…,11Ｎ0と、ネットワーク上に接続されたグループ会議制御サーバ1200とから構成される。【００２９】
複数の端末は、必要に応じてネットワークに接続され、端末数は任意の台数設定可能である。【００３０】
前記ネットワーク上に接続された端末1110は、利用者の発する音声や利用者の状況を示す映像情報の受け付け、サーバまたは他の端末に送信するとともに、他の端末またはサーバから該端末に発信された映像または音声情報を受付、利用者に提示する。一例として、テレビ会議用のセットトップボックスや、テレビ電話機、携帯電話機、スピーカフォンといったものが上げられる。また、専用の装置ではなくパーソナルコンピュータのような汎用機の一部機能であってもかまわない。送受信する信号は、音声、映像のいずれか一方または両方を含む。また、端末1110は、利用者が信号を入力するための信号入力手段1111と、利用者に対して信号を提示する信号提示手段1112と、各端末間またはサーバと端末間での通信を行う信号通信手段1113とよりなる。【００３１】
信号入力手段1111は、映像または音声を入力するための手段であり、一例として、映像を入力するためのカメラ、音声を入力するためのマイクロフォンなどがあげられる。【００３２】
信号通信手段1113は、入力手段1111により入力された信号を他の端末またはサーバに送信するとともに、他の端末またはサーバから該端末に発信された信号の受信を行う。【００３３】
信号提示手段1112は、信号通信手段1113が受信した他端末またはサーバからの信号情報を利用者に提示する。一例として、映像を提示するためのモニタ、音声を出力するためのスピーカなどが上げられる。提示に際しては、複数の映像を並べて提示する／時間順に提示する／利用者が選択した映像のみを提示するなど、複数の映像を同時または選択てきに提示する機構や複数の端末またはサーバからの音声を重畳して提示する機構を有していてもよい。【００３４】
グループ会議制御サーバ1200は、各参加者端末間で行われるグループ討議の状態を監視するとともに、各参加者端末間の制御を行う。【００３５】
グループ会議制御サーバ1200は、グループ内討議の監視を行うグループ内討議監視手段1210と、グループ内討議の状態に基づき、前記参加者端末間の通信制御を行う端末間通信制御手段1220と、参加者端末間との信号のやり取りを行う信号通信手段1230とで構成される。【００３６】
グループ内討議監視手段1210は、各参加者端末から発信される信号を受け取り、参加者毎あるいは各サブグループの討議の状態を解析する。【００３７】
端末間通信制御手段1220は、グループ内討議監視手段1210の解析結果を受け取り、複数グループの統合、特定グループの分割、特定グループ間のメンバ交換を含むグループの変更を決定し、結果に基づき各端末の通信制御を行い、同一グループの端末間でのみ双方向のコミュニケーションが行われるように制御する。制御の一例として、グループ内討議監視によって得られたサブグループの情報を各端末に送信することで各端末が双方向コミュニケーションをすべき端末を規定できるようにする、あるいは、サーバに送信された信号をスイッチングによって該当する端末に送信するといった方法があげられる。【００３８】
信号通信手段1230は、各参加者端末とグループ制御サーバの信号のやり取りをおこなう。【００３９】
以下、グループ内討議監視手段1210と端末間通信制御手段1220の詳細について説明する。【００４０】
図２は、グループ内討議解析手段1210の構成の一例である。【００４１】
グループ内討議監視手段1210は、信号通信手段1230を通じて入力される各参加者端末からの信号を記憶する、参加者発言記憶手段1211と、各参加者発言記憶手段1211に記憶された各参加者の発言を解析する、参加者発言解析手段1212と、端末間通信制御手段からグループに関する情報を受け取り、参加者発言解析手段から各参加者の発言の解析結果を受け取り、各グループでの討議の状態を解析するグループ内討議解析手段1213とよりなる。【００４２】
参加者発言記憶手段1211は、一例としてハードディスク・フラッシュメモリなどの記憶装置であり、専用の蓄積装置であっても、他の映像蓄積装置との兼用であってもかまわない。【００４３】
参加者発言解析手段1212は、一例として、あらかじめ定められたルールにて動作するプログラムを搭載したＣＰＵである。参加者解析方法としては、一例として、参加者の総発言量（発言時間）や発言の音量、時間単位の発言量、発言中のキーワード、あらかじめさだめられたキーワードの発言数、主題からの乖離度など、参加者の討議への貢献を表す音声認識に基づく方法が考えられる。また、参加者の表情やしぐさなど、映像解析に基づく方法であってもかまわない。更に音声認識と映像解析を組み合わせたものであってもよい。
グループ内討議解析手段1213は、端末間通信制御手段1220より、現在のグループの情報を受け取り、各グループ毎の討議の状態の解析を行う。一例として、各グループ内での発言量の総和、時間単位の発言量、発言中のキーワードの総和、あらかじめ定められたキーワードの発言数の総和、平均のしぐさや表情やといった、各発言者の総和／平均をもとめたものや、発言者の発言量の分散など、グループ内の分散や散らばり、相互関係などを抽出したものであってもよい。グループ内討議の解析結果を蓄えておき、解析結果の変動（総発言量の増加／減少など）を利用してもよい。【００４４】
グループ内討議解析手段は、グループ内討議解析手段1213が導出するグループ毎の討議状態と参加者発言解析手段1212の導出する参加者毎の討議状態について出力する。【００４５】
図３は端末間通信制御手段1220の構成の一例である。【００４６】
端末間通信制御手段1220は、参加者端末間の接続情報（グループ情報）を記憶する端末間接続情報記憶手段1221と、信号通信手段を通じて、各端末からの接続／切断要求を受け付ける接続／切断要求受付手段1222と、グループ討議解析手段1210から各グループの討議解析結果と参加者の発言解析結果を受け取り、これに、端末間接続情報記憶手段1221の保有する端末間接続情報と接続／切断要求をもとに、各端末間の接続を決定する端末間接続制御手段1223と、端末間接続制御手段1223の決定に基づき端末間接続を行う端末間接続手段1224とから構成される。【００４７】
端末間接続情報記憶手段1221は、一例としてハードディスク・フラッシュメモリなどの記憶装置であり、専用の蓄積装置であっても、他の映像蓄積装置との兼用であってもかまわない。参加者発言に記憶手段1211との兼用であってもかまわない。【００４８】
接続／切断要求受け付け手段1222は、信号通信手段を通じて、各端末からの接続／切断要求を受け付ける。【００４９】
端末間接続制御手段1223は、一例として、あらかじめ定められたルールにて動作するプログラムを搭載したＣＰＵである。実装の一形態として、グループ討議解析結果にて、活性化していないグループを抽出し、該当グループのグループメンバの数に応じて、グループの分割／統合／メンバの交換を選択するという方法がある。また、各参加者の発言量の分散情報から、発言量の少ないメンバ同士を交換することもできる。さらには、各発言者の発言キーワードから、類似発言キーワードをもつメンバをまとめるなどしてもよい。更には、グループにて行われている議論の時間長に基づいてグループ変更を行ってもよい。個の場合、グループの議論の解析結果に基づいてグループ変更を行うという形態のほかに、あらかじめ定められた時間に基づき、グループを変更するという処理を行ってもかまわない。【００５０】
新規参加者を受け付けた際に、その発言者を適当なグループにアサインすること、及び、特定グループのメンバが切断要求を出した際に、残りのメンバに関連してグループの統合やメンバ交換／メンバ移動を決定する。【００５１】
これらは端末間接続制御の一例であるが、グループ内のメンバの上限や、グループ変更に関するルールを制御手段内にプログラム記述・蓄積しておき、接続／切断要求や、グループ討議解析結果、参加者の発言解析結果を入力としてルールを適用することで端末間接続制御を行うようにしてもよい。図５に、グループ内またはメンバ解析結果に基づく端末間制御の例を示す。【００５２】
端末間接続手段1224は、端末間接続制御手段の決定を基に同一グループの端末間でのみ双方向のコミュニケーションが行われるように制御する。具体的な制御の一例として、グループ内討議監視によって得られたサブグループの情報を各端末に送信することで各端末が双方向コミュニケーションをすべき端末を規定できるようにする、あるいは、サーバに送信された信号をスイッチングによって該当する端末に送信するといった方法があげられる。【００５３】
次に、図１、図２、図３及び図５のフローチャートを参照して、本発明の全体の動作例について説明する。【００５４】
会議開始にて、初期の参加者を、信号通信手段1230を通じて接続／切断要求受付手段1222が受け付ける（Ｓ１０１）。【００５５】
端末間接続制御手段1223は、初期の各端末のグループを決定し（Ｓ１０２）、端末間接続手段1224は各端末間の接続を行うとともに、端末間接続情報記憶手段はそのときの接続状況を記憶する（ステップＳ１０３）。【００５６】
初期の端末の総数はたとえば100であったり、1000であったり10000であったりする。【００５７】
一グループあたりの参加者の数はたとえば15人ぐらいとした場合、10000人で600グループ程度の数である。端末の総数、グループの総数、一グループあたりの参加者端末の数は会議の内容等により異なる。【００５８】
会議が終了であれば、会議を終了する。【００５９】
会議が継続された場合、各参加者の発言を信号通信手段からうけとり、参加者発言記憶手段1211に記憶するとともに、参加者発言解析手段1212で解析、グループ内討議解析手段1213でグループ毎の討議の状態を解析する（ステップＳ１０４）。【００６０】
会議に際し、参加者があらわれた場合、接続／切断要求受付手段1222は新規参加者を受け付ける。（ステップＳ１０５）
会議に際し、参加者の切断要求があった際は、接続／切断要求受付手段1222は会議退場者を受け付ける。（ステップＳ１０６）
これらの状況をうけつけ、端末間接続制御手段1223が、グループを変更すべきかどうかを決定し、グループ変更がある場合、端末間接続手段1224は端末間の接続を変更し（Ｓ１０７）、端末間接続情報記憶手段の情報を更新する。（Ｓ１０８）
以下、会議終了となるまで、この操作を繰り返す。【００６１】
以上のような構成をとることにより、会議参加者は、各サブグループ間での少人数での会議参加によるインタラクティブなコミュニケーションを実現しながら、会議中の的確なグループ変更により、会議に参加している全参加者からの意見収集やコミュニケーションを実現することができ、本発明の目的を達成することができる。
＜第２の実施の形態＞
次に発明を実施するための第２の実施の形態について図面を参照して説明する。【００６２】
図６を参照すると本発明の第二の最良の形態は、ネットワーク上に接続された複数の端末2110,2120,…,21Ｎ0と、ネットワーク上に接続されたグループ会議制御サーバ2200とから構成される。【００６３】
複数の端末は、必要に応じてネットワークに接続され、端末数は任意の台数設定可能である。【００６４】
前記ネットワーク上に接続された端末2110は、利用者の発する音声や利用者の状況を示す映像情報の受け付け、サーバまたは他の端末に送信するとともに、他の端末またはサーバから該端末に発信された映像または音声情報を受付、利用者に提示する。また、利用者に関する情報に関してもサーバに送信を行う。一例として、テレビ会議用のセットトップボックスや、テレビ電話機、携帯電話機、スピーカフォンといったものが上げられる。また、専用の装置ではなくパーソナルコンピュータのような汎用機の一部機能であってもかまわない。送受信する信号は、音声、映像のいずれか一方または両方を含む。また、端末2110は、利用者が信号を入力するための信号入力手段2111と、利用者に対して信号を提示する信号提示手段2112と、各端末間またはサーバと端末間での通信を行う信号通信手段2113と、利用者情報を入力・送出する参加者情報入力送出手段2114とよりなる。【００６５】
信号入力手段2111は、映像または音声を入力するための手段であり、一例として、映像を入力するためのカメラ、音声を入力するためのマイクロフォンなどがあげられる。【００６６】
信号通信手段2113は、入力手段2111により入力された信号を他の端末またはサーバに送信するとともに、他の端末またはサーバから該端末に発信された信号の受信を行う。【００６７】
信号提示手段2112は、信号通信手段２113が受信した他端末またはサーバからの信号情報を利用者に提示する。一例として、映像を提示するためのモニタ、音声を出力するためのスピーカなどが上げられる。提示に際しては、複数の映像を並べて提示する／時間順に提示する／利用者が選択した映像のみを提示するなど、複数の映像を同時または選択てきに提示する機構や複数の端末またはサーバからの音声を重畳して提示する機構を有していてもよい。【００６８】
参加者情報入力送出手段2114は、参加者に関する情報の入力ならびに送出を行う。参加者が会議のたびに入力して送信してもよいし、あらかじめ端末に蓄積された利用者のプロフィール情報を使用時によみだし、信号通信手段2113に出力する形態でもよい。参加者情報としては、参加者のＩＤのみでもよいし、参加者のプロフィールやバックグラウンド等の情報でもよい。【００６９】
グループ会議制御サーバ2200は、各参加者端末間で行われるグループ討議の状態を監視するとともに、各参加者端末間の制御を行う。【００７０】
グループ会議制御サーバ2200は、グループ内討議の監視を行うグループ内討議監視手段2210と、グループ内討議の状態に基づき、前記参加者端末間の通信制御を行う端末間通信制御手段2220と、参加者端末間との信号のやり取りを行う信号通信手段2230と、参加者情報を記憶する参加者情報記憶手段と2240と、会議の内容の記録を行う記録手段2250とで構成される。【００７１】
グループ内討議監視手段2210は、各参加者端末から発信される信号を受け取り、参加者毎あるいは各サブグループの討議の状態を解析する。【００７２】
端末間通信制御手段2220は、グループ内討議監視手段2210の解析結果を受け取り、参加者情報ｊ記憶手段2240より会議に参加している参加者に関する情報を受け取り、複数グループの統合、特定グループの分割、特定グループ間のメンバ交換を含むグループの変更を決定し、結果に基づき各端末の通信制御を行い、同一グループの端末間でのみ双方向のコミュニケーションが行われるように制御する。制御の一例として、グループ内討議監視によって得られたサブグループの情報を各端末に送信することで各端末が双方向コミュニケーションをすべき端末を規定できるようにする、あるいは、サーバに送信された信号をスイッチングによって該当する端末に送信するといった方法があげられる。【００７３】
信号通信手段2230は、各参加者端末とグループ制御サーバの信号のやり取りをおこなう。【００７４】
以下、グループ内討議監視手段2210と端末間通信制御手段２220の詳細について説明する。【００７５】
グループ内討議監視手段2210は、第一の最良の実施の形態で述べた、グループ内討議監視手段1210と同一の形態をとってもよい。したがって、図２が、グループ内討議解析手段2210の構成の一例となる。【００７６】
参加者情報記憶手段2240は、会議に参加している参加者の情報について記憶する。一例としてハードディスク・フラッシュメモリなどの記憶装置であり、専用の蓄積装置であっても、他の映像蓄積装置との兼用であってもかまわない。また、他の記憶コンポネントのハードウェアとして兼用であってもかまわない。参加者情報は、参加者端末2110〜21Ｎ0の各参加者情報入力送出手段2114を通じて集められた情報を蓄積したものでもよいし、別手段でグループ会議制御サーバに蓄積された参加者ＩＤとプロフィールのテーブルに対し、参加者情報入力送出手段2114を通じて送られてきた参加者ＩＤを対応付けたものでもよい。【００７７】
また、参加者情報は、会議主題に対する立場や、考え方といった会議内容に直接関連するものや、参加者の出身地や勤務地、年齢、性別といった参加者の履歴・プロフィールに関連するもの、過去の会議での発言量などの会議の中での振舞いに関連するもの、他の会議参加者との相性などのいずれかを含んでもよい。【００７８】
記録手段2250は、会議の内容に関して記録を行う。【００７９】
グループ内討議監視手段2210は、図２に示すように信号通信手段2230を通じて入力される各参加者端末からの信号を記憶する、参加者発言記憶手段1211と各参加者発言記憶手段1211に記憶された各参加者の発言を解析する、参加者発言解析手段1212と端末間通信制御手段からグループに関する情報を受け取り、参加者発言解析手段から各参加者の発言の解析結果を受け取り、各グループでの討議の状態を解析するグループ内討議解析手段1213よりなる。【００８０】
図７は端末間通信制御手段2220の構成の一例である。【００８１】
端末間通信制御手段2220は、参加者端末間の接続情報（グループ情報）を記憶する端末間接続情報記憶手段2221と、信号通信手段を通じて、各端末からの接続／切断要求を受け付ける接続／切断要求受付手段2222と、グループ討議解析手段2210から各グループの討議解析結果と参加者の発言解析結果を受け取り、参加者情報記憶手段からおのおのの参加者端末を利用する参加者の情報を受け取り、これに、端末間接続情報記憶手段2221の保有する端末間接続情報と接続／切断要求をもとに、各端末間の接続を決定する端末間接続制御手段2223と、端末間接続制御手段2223の決定に基づき端末間接続を行う端末間接続手段2224とから構成される。【００８２】
端末間接続情報記憶手段2221は、一例としてハードディスク・フラッシュメモリなどの記憶装置であり、専用の蓄積装置であっても、他の映像蓄積装置との兼用であってもかまわない。参加者発言に記憶手段2211との兼用であってもかまわない。【００８３】
接続／切断要求受け付け手段2222は、信号通信手段を通じて、各端末からの接続／切断要求を受け付ける端末間接続制御手段2223は、一例として、あらかじめ定められたルールにて動作するプログラムを搭載したＣＰＵである。実装の一形態として、グループ討議解析結果にて、活性化していないグループを抽出し、該当グループのグループメンバの数に応じて、グループの分割／統合／メンバの交換を選択するという方法がある。また、各参加者の発言量の分散情報から、発言量の少ないメンバ同士を交換することもできる。さらには、各発言者の発言キーワードから、類似発言キーワードをもつメンバをまとめるなどしてもよい。更には参加者情報記憶手段2240から受け取った参加者情報をベースに、各参加者の持つ知識等のバックグラウンドと各グループでの討議詳細を照合させることによって、該当参加者を適当なグループに移動させてもよい。【００８４】
新規参加者を受け付けた際に、その発言者を参加者情報記憶手段が記憶する参加者のプロフィールに基づいて適当なグループにアサインすること、及び、特定グループのメンバが切断要求を出した際に、残りのメンバに関連してグループの統合やメンバ交換／メンバ移動を決定する。【００８５】
これらは端末間接続制御の一例であるが、グループ内のメンバの上限や、グループ変更に関するルールを制御手段内にプログラム記述・蓄積しておき、接続／切断要求や、グループ討議解析結果、参加者の発言解析結果を入力としてルールを適用することで端末間接続制御を行うようにしてもよい。【００８６】
端末間接続手段2224は、端末間接続制御手段の決定を基に同一グループの端末間でのみ双方向のコミュニケーションが行われるように制御する。具体的な制御の一例として、グループ内討議監視によって得られたサブグループの情報を各端末に送信することで各端末が双方向コミュニケーションをすべき端末を規定できるようにする、あるいは、サーバに送信された信号をスイッチングによって該当する端末に送信するといった方法があげられる。【００８７】
図８は記録手段2250の構成の一例である。【００８８】
記録手段2250は、全参加者の全発言内容を記録する発言内容記憶手段2251と、発言内容をグループ毎／発言の時系列ごとにそれぞれのグループメンバの構成の変化を含めて要約する要約手段2252と、結果を出力する出力手段2253とから構成される。【００８９】
発言内容記録手段2251は、一例としてハードディスク・フラッシュメモリなどの記憶装置であり、専用の蓄積装置であっても、他の映像蓄積装置との兼用であってもかまわない。参加者発言に記憶手段2211との兼用であってもかまわない。【００９０】
要約手段2252は、一例として、あらかじめ定められたルールにて動作するプログラムを搭載したＣＰＵである。端末間接続制御手段2223等、サーバ上の他のＣＰＵとハードウェアとしては共有してもよい。要約手段2252は、たとえば発言者別またはグループ別に議論の内容を整理するとともに、必要に応じて同一意見の統合を行い、会議で出た意見の整理を行う。【００９１】
出力手段2253は、要約結果を出力する。【００９２】
次に、図６、図７、及び図９のフローチャートを参照して、本発明の全体の動作例について説明する。【００９３】
会議開始にて、信号通信手段1230を通じて接続／切断要求受付手段1222が初期の参加者からの接続要求を受け付ける。（Ｓ２０１）
端末接続後に、参加者情報入力送出手段2114により利用者より入力された情報を参加者情報記憶手段2240が受け付けて、記憶する。（Ｓ２０２）
端末間接続制御手段2223は、参加者情報記憶手段2240に蓄積された利用者情報を利用して、初期の各端末のグループを決定し（Ｓ２０３）、端末間接続手段2224は各端末間の接続を行うとともに、端末間接続情報記憶手段はそのときの接続状況を記憶する（ステップＳ２０４）。【００９４】
会議が終了であれば、会議を終了する。【００９５】
会議が継続された場合、各参加者の発言を信号通信手段からうけとり、参加者発言記憶手段2211に記憶する。（ステップＳ２０５）
発言内容記憶手段2251は各グループでの発言内容を記憶する（ステップＳ２０６）。【００９６】
とともに、参加者発言解析手段1212で解析、グループ内討議解析手段1213でグループ毎の討議の状態を解析する。（ステップＳ２０７）
会議に際し、あらたに参加者があらわれた場合、接続／切断要求受付手段2222は新規参加者を受け付ける。（ステップＳ２０８）
参加者情報記憶手段2240は、端末からの参加者情報を受け付けて、参加者情報を更新する。（ステップＳ２０９）
会議に際し、参加者の切断要求があった際は、接続／切断要求受付手段2222は会議退場者を受け付ける。（ステップＳ２１０）
参加者情報記憶手段2240は、端末からの参加者情報を受け付けて、参加者情報を更新する。（ステップＳ２１１）
これらの状況をうけつけ、端末間接続制御手段2223が、グループを変更すべきかどうかを決定する。（ステップＳ２１２）
グループ変更がある場合、端末間接続手段2224は端末間の接続を変更し（ステップＳ213）、端末間接続情報記憶手段2221の情報を更新する。（ステップＳ214）
以下、会議終了となるまで、この操作を繰り返す。【００９７】
会議が終了した際に記録手段2250が会議の記録を作成する。（ステップＳ215）
以上のような構成をとることにより、会議参加者は、各サブグループ間での少人数での会議参加によるインタラクティブなコミュニケーションを実現しながら、会議中の的確なグループ変更により、会議に参加している全参加者からの意見収集やコミュニケーションを実現することができ、本発明の目的を達成することができる。【００９８】
この際には、利用者に関する背景情報まで利用して最適なサブグループの生成がはかられる。また、会議結果は会議記録として出力される。
＜第３の実施の形態＞
次に、第３の実施の形態について図面を参照して説明する。【００９９】
図１０を参照すると本発明の第三の最良の形態は、ネットワーク上に接続された複数の端末3110,3120,…,31Ｎ0と、ネットワーク上に接続されたグループ会議制御サーバ3200とから構成される。【０１００】
複数の端末は、必要に応じてネットワークに接続され、端末数は任意の台数設定可能である。【０１０１】
前記ネットワーク上に接続された端末3110は、利用者の発する音声や利用者の状況を示す映像情報の受け付け、サーバまたは他の端末に送信するとともに、他の端末またはサーバから該端末に発信された映像または音声情報を受付、利用者に提示する。また、管理者によって発せられた質問／問合せを利用者に提示するとともに、質問／問合せに対する利用者の回答の入力を受け付ける。一例として、テレビ会議用のセットトップボックスや、テレビ電話機、携帯電話機、スピーカフォンといったものが上げられる。また、専用の装置ではなくパーソナルコンピュータのような汎用機の一部機能であってもかまわない。送受信する信号は、音声、映像のいずれか一方または両方を含む。また、管理者からの質疑の回答には、キーボードのような入力機器をもちいてもよい。また、端末3110は、利用者が信号を入力するための信号入力手段3111と、利用者に対して信号を提示する信号提示手段3112と、各端末間またはサーバと端末間での通信を行う信号通信手段3113とよりなる。【０１０２】
信号入力手段3111は、映像または音声またはデータ入力するための手段であり、一例として、映像を入力するためのカメラ、音声を入力するためのマイクロフォン、文字情報を入力するためのキーボード、タッチパネル付きディスプレイ、コントローラなどがあげられる。【０１０３】
信号通信手段3113は、入力手段3111により入力された信号を他の端末またはサーバに送信するとともに、他の端末またはサーバから該端末に発信された信号の受信を行う。【０１０４】
信号提示手段3112は、信号通信手段3113が受信した他端末またはサーバからの信号情報を利用者に提示する。一例として、映像を提示するためのモニタ、音声を出力するためのスピーカなどが上げられる。提示に際しては、複数の映像を並べて提示する／時間順に提示する／利用者が選択した映像のみを提示するなど、複数の映像を同時または選択的に提示する機構や複数の端末またはサーバからの音声を重畳して提示する機構を有していてもよい。【０１０５】
グループ会議制御サーバ3200は、各参加者端末間で行われるグループ討議の状態を監視するとともに、各参加者端末間の制御を行う。【０１０６】
グループ会議制御サーバ3200は、グループ内討議の監視を行うグループ内討議監視手段3210と、グループ内討議の状態に基づき、前記参加者端末間の通信制御を行う端末間通信制御手段3220と、参加者端末間との信号のやり取りを行う信号通信手段3230と、参加者情報を記憶する参加者情報記憶手段と3240と、管理者からの指示を支援する管理者指示手段3260とで構成される。【０１０７】
グループ内討議監視手段3210は、各参加者端末から発信される信号を受け取り、参加者毎あるいは各サブグループの討議の状態を解析する。【０１０８】
端末間通信制御手段3220は、グループ内討議監視手段3210の解析結果を受け取り、参加者情報記憶手段3240より会議に参加している参加者に関する情報を受け取り、管理者指示手段3260より管理者の指示情報を受け取り、複数グループの統合、特定グループの分割、特定グループ間のメンバ交換を含むグループの変更を決定し、結果に基づき各端末の通信制御を行い、同一グループの端末間でのみ双方向のコミュニケーションが行われるように制御する。制御の一例として、グループ内討議監視によって得られたサブグループの情報を各端末に送信することで各端末が双方向コミュニケーションをすべき端末を規定できるようにする、あるいは、サーバに送信された信号をスイッチングによって該当する端末に送信するといった方法があげられる。【０１０９】
信号通信手段3230は、各参加者端末とグループ制御サーバの信号のやり取りをおこなう。【０１１０】
参加者情報記憶手段3240は、会議に参加している参加者の情報について記憶する。一例としてハードディスク・フラッシュメモリなどの記憶装置であり、専用の蓄積装置であっても、他の映像蓄積装置との兼用であってもかまわない。また、他の記憶コンポネントのハードウェアとして兼用であってもかまわない。参加者情報は、参加者端末3110〜31Ｎ0の各参加者情報入力送出手段2114を通じて集められた情報を蓄積したものでもよいし、別手段でグループ会議制御サーバに蓄積された参加者ＩＤとプロフィールのテーブルに対し、参加者情報入力送出手段2114を通じて送られてきた参加者ＩＤを対応付けたものでもよい。【０１１１】
管理者指示手段3260は、会議管理者／会議設定者／会議オーガナイザが、会議の状態を観測または、会議参加者から情報を収集、または、グループ分け入力を行う。【０１１２】
グループ内討議監視手段3210は、第一の最良の形態で説明したグループ内討議監視手段1210の同じ形態をとってよい。すなわち、図2に示すように信号通信手段3230を通じて入力される各参加者端末からの信号を記憶する、参加者発言記憶手段1211と各参加者発言記憶手段1211に記憶された各参加者の発言を解析する、参加者発言解析手段1212と端末間通信制御手段からグループに関する情報を受け取り、参加者発言解析手段から各参加者の発言の解析結果を受け取り、各グループでの討議の状態を解析するグループ内討議解析手段1213よりなる。【０１１３】
図８は端末間通信制御手段3220の構成の一例である。【０１１４】
端末間通信制御手段3220は、参加者端末間の接続情報（グループ情報）を記憶する端末間接続情報記憶手段3221と、信号通信手段を通じて、各端末からの接続／切断要求を受け付ける接続／切断要求受付手段3222と、グループ討議解析手段3210から各グループの討議解析結果と参加者の発言解析結果を受け取り、参加者情報記憶手段からおのおのの参加者端末を利用する参加者の情報を受け取り、これに、端末間接続情報記憶手段3221の保有する端末間接続情報と接続／切断要求ならびに、管理者指示手段から入力される管理者指示情報をもとに、各端末間の接続を決定する端末間接続制御手段3223と、端末間接続制御手段3223の決定に基づき端末間接続を行う端末間接続手段3224とから構成される。【０１１５】
端末間接続情報記憶手段3221は、一例としてハードディスク・フラッシュメモリなどの記憶装置であり、専用の蓄積装置であっても、他の映像蓄積装置との兼用であってもかまわない。参加者発言に記憶手段3211との兼用であってもかまわない。【０１１６】
接続／切断要求受け付け手段3222は、信号通信手段を通じて、各端末からの接続／切断要求を受け付ける端末間接続制御手段3223は、一例として、あらかじめ定められたルールにて動作するプログラムを搭載したＣＰＵである。実装の一形態として、グループ討議解析結果にて、活性化していないグループを抽出し、該当グループのグループメンバの数に応じて、グループの分割／統合／メンバの交換を選択するという方法がある。また、各参加者の発言量の分散情報から、発言量の少ないメンバ同士を交換することもできる。さらには、各発言者の発言キーワードから、類似発言キーワードをもつメンバをまとめるなどしてもよい。更には参加者情報記憶手段3240から受け取った参加者情報をベースに、各参加者の持つ知識等のバックグラウンドと各グループでの討議詳細を照合させることによって、該当参加者を適当なグループに移動させてもよい。【０１１７】
新規参加者を受け付けた際に、その発言者を参加者情報記憶手段が記憶する参加者のプロフィールに基づいて適当なグループにアサインすること、及び、特定グループのメンバが切断要求を出した際に、残りのメンバに関連してグループの統合やメンバ交換／メンバ移動を決定する。【０１１８】
これらは端末間接続制御の一例であるが、グループ内のメンバの上限や、グループ変更に関するルールを制御手段内にプログラム記述・蓄積しておき、接続／切断要求や、グループ討議解析結果、参加者の発言解析結果を入力としてルールを適用することで端末間接続制御を行うようにしてもよい。管理者指示手段3260から、グループ変更に関する受けたときは、管理者の指示を優先するように動作する。【０１１９】
端末間接続手段3224は、端末間接続制御手段の決定を基に同一グループの端末間でのみ双方向のコミュニケーションが行われるように制御する。具体的な制御の一例として、グループ内討議監視によって得られたサブグループの情報を各端末に送信することで各端末が双方向コミュニケーションをすべき端末を規定できるようにする、あるいは、サーバに送信された信号をスイッチングによって該当する端末に送信するといった方法があげられる。【０１２０】
図１２は管理者指示手段3260の構成の一例である。【０１２１】
管理者指示手段は、利用者の特徴・背景をしるために、特定のまたは全参加者に対して質問を送付する質問送信手段3261と、各グループの討議の状況ならびに利用者に行った質問に対する回答を管理者に提示する討議モニタリング手段3262と、参加者のグループ分けについて管理者が直接指示するためのグループ化入力手段3263よりなる。【０１２２】
利用者の特徴／背景を知るための質問の一例としては、「××制度に、賛成ですか／反対ですか」、「○○を知っていますか？」、「Ａ，Ｂ，Ｃのどれに一番興味がありますか？」など、利用者の知識やスタンスを知るためのものが考えられる。これらの答えは、利用者端末の心経入力手段3111を通じて利用者から入力され、参加者記憶手段3240に蓄えられ、グループ分類の特徴として利用される。【０１２３】
利用者は質問送信手段3261を通じて参加者に対して質問を送付し、結果を参加者記憶手段3240に蓄積する。【０１２４】
討議モニタリング手段3262は、管理者が指定した特定の参加者端末または特定のグループの討議の内容を表示する。一例としては、端末またはグループを支持するためのポインティングデバイスと、内容を提示するスピーカ及びモニタを有するパーソナルコンピュータや専用端末のようなものが考えられる。【０１２５】
次に、図１０、図１１、図１２および図１３のフローチャートを参照して、管理者の指示によるグループ分けの様子について説明する。【０１２６】
管理者は、討議モニタリング手段3262により、特定端末または特定グループあるいは全グループの討議の様子を確認する。（Ｓ３０１）
管理者は、質問送信手段3261を用いて質問を作成し、（Ｓ３０２）、特定の参加者あるいは全参加者に向けて送付する。信号通信手段3113を通じて3112により指定された参加者端末に作成した質問を提示する。（Ｓ３０３）
参加者は、信号入力手段3111を通じて質問の回答を作成し送信する。（Ｓ３０４）
参加者情報記憶手段3240は、信号通信手段3110、信号通信手段3230を通じて指定された参加者の回答情報を受け取り、蓄積する。（Ｓ３０５）
端末間接続制御手段3223は、各グループでの討議の状態並びに参加者情報記憶手段に蓄積された参加者情報を基に、グループをどのように変更すべきかどうかを決定する。（ステップＳ３０６）
また、管理者は必要に応じて直接変更命令を入力する。（ステップＳ３０７）
グループ変更がある場合、端末間接続手段3224は端末間の接続を変更し、端末間接続情報記憶手段3221の情報を更新する。（ステップＳ308）
以上のような構成をとることにより、会議参加者は、各サブグループ間での少人数での会議参加によるインタラクティブなコミュニケーションを実現しながら、会議中の的確なグループ変更により、会議に参加している全参加者からの意見収集やコミュニケーションを実現することができ、本発明の目的を達成することができる。【０１２７】
この際には、管理者の意図をグループ化に反映することが可能になり、会議主催者の意図に即した会議運営が可能となる。
＜第４の実施の形態＞
次に発明を実施するための第４の実施の形態について図面を参照して説明する。【０１２８】
図１４を参照すると本発明の第四の最良の形態は、ネットワーク上に接続された複数の端末4110,４120,…,41Ｎ0と、ネットワーク上に接続されたグループ会議制御サーバ4200とから構成される。【０１２９】
複数の端末は、必要に応じてネットワークに接続され、端末数は任意の台数設定可能である。【０１３０】
前記ネットワーク上に接続された端末4110は、利用者の発する音声や利用者の状況を示す映像情報の受け付け、サーバまたは他の端末に送信するとともに、他の端末またはサーバから該端末に発信された映像または音声情報を受付、利用者に提示する。また、管理者によって発せられた質問／問合せを利用者に提示するとともに、質問／問合せに対する利用者の回答の入力を受け付ける。一例として、テレビ会議用のセットトップボックスや、テレビ電話機、携帯電話機、スピーカフォンといったものが上げられる。また、専用の装置ではなくパーソナルコンピュータのような汎用機の一部機能であってもかまわない。送受信する信号は、音声、映像のいずれか一方または両方を含む。また、端末4110は、利用者が映像または音声信号を入力するための信号入力手段4111と、利用者に対して映像または音声信号を提示する信号提示手段4112と、各端末間またはサーバと端末間での通信を行う信号通信手段4113とよりなる。【０１３１】
信号入力手段4111は、映像または音声データを入力するための手段であり、一例として、映像を入力するためのカメラ、音声を入力するためのマイクロフォンなどがあげられる。【０１３２】
信号通信手段4113は、入力手段4111により入力された信号を他の端末またはサーバに送信するとともに、他の端末またはサーバから該端末に発信された信号の受信を行う。【０１３３】
信号提示手段4112は、信号通信手段4113が受信した他端末またはサーバからの信号情報を利用者に提示する。一例として、映像を提示するためのモニタ、音声を出力するためのスピーカなどが上げられる。提示に際しては、複数の映像を並べて提示する／時間順に提示する／利用者が選択した映像のみを提示するなど、複数の映像を同時または選択的に提示する機構や複数の端末またはサーバからの音声を重畳して提示する機構を有していてもよい。【０１３４】
グループ会議制御サーバ4200は、各参加者端末間で行われるグループ討議の状態を監視するとともに、各参加者端末間の制御を行う。【０１３５】
グループ会議制御サーバ4200は、グループ内討議の監視を行うグループ内討議監視手段4210と、グループ内討議の状態に基づき、前記参加者端末間の通信制御を行う端末間通信制御手段4220と、参加者端末間との信号のやり取りを行う信号通信手段4230と、参加者端末に提示する映像／音声の制御を行う提示情報制御手段4270とで構成される。【０１３６】
グループ内討議監視手段4210は、各参加者端末から発信される信号を受け取り、参加者毎あるいは各サブグループの討議の状態を解析する。【０１３７】
端末間通信制御手段4220は、グループ内討議監視手段4210の解析結果を受け取り、複数グループの統合、特定グループの分割、特定グループ間のメンバ交換を含むグループの変更を決定し、結果に基づき各端末の通信制御を行い、同一グループの端末間でのみ双方向のコミュニケーションが行われるように制御する。制御の一例として、グループ内討議監視によって得られたサブグループに関する情報を各端末に送信することで各端末が双方向コミュニケーションをすべき端末を規定できるようにする、あるいは、サーバに送信された信号をスイッチングによって該当する端末に送信するといった方法があげられる。【０１３８】
信号通信手段4230は、各参加者端末とグループ制御サーバの信号のやり取りをおこなう。
提示情報制御手段4270は、各参加者端末から得られた映像を一時蓄積し、適当な時期に特定の端末に対し、前記蓄積された映像を送信することにより、参加者端末に提示する映像または音声情報を制御する。制御パタンの例として、蓄積された映像を、時間をずらして送信するタイムシフト視聴や、蓄積された映像の一部を選択して送信する選択視聴／要約視聴がある。【０１３９】
グループ内討議監視手段4210は、第一の最良の形態で説明したグループ内討議監視手段1210の同じ形態をとってよい。すなわち、図２に示すように信号通信手段4230を通じて入力される各参加者端末からの信号を記憶する参加者発言記憶手段1211と各参加者発言記憶手段1211に記憶された各参加者の発言を解析する、参加者発言解析手段1212と端末間通信制御手段からグループに関する情報を受け取り、参加者発言解析手段から各参加者の発言の解析結果を受け取り、各グループでの討議の状態を解析するグループ内討議解析手段1213よりなる。【０１４０】
また、端末間通信制御手段4220は、第一の最良の形態で説明した端末間通信制御手段1220と同じ形態をとってよい。すなわち、図3に示すように、参加者端末間の接続情報（グループ情報）を記憶する端末間接続情報記憶手段1221と、信号通信手段を通じて、各端末からの接続／切断要求を受け付ける接続／切断要求受付手段1222と、グループ討議解析手段1210から各グループの討議解析結果と参加者の発言解析結果を受け取り、これに、端末間接続情報記憶手段1221の保有する端末間接続情報と接続／切断要求をもとに、各端末間の接続を決定する端末間接続制御手段1223と、端末間接続制御手段1223の決定に基づき端末間接続を行う端末間接続手段1224とで構成されてよい。【０１４１】
提示情報制御手段4270の構成の一例を図15に示す。【０１４２】
送信情報生成手段4271は、参加者発言記憶手段1211から、該当する参加者の情報（音声または映像）を抽出し、送信用情報を生成する。一例として、特定の問題に対して、説明をしている部分を抽出したものや、これまでの議論を要約したもの、あるいは、最新の発言部分の情報などがあげられる。構成例としては、あらかじめ決められたルールをプログラムで記述したＣＰＵのようなものが考えられる。【０１４３】
提示タイミング決定手段4272は、グループ内討議解析手段1213より、映像を表示すべきグループの討議の状態に関する情報を受け取り、送信情報生成手段4271で作成した情報の提示タイミングを決定する。一例として、表示すべきグループでの討議が継続中であった場合に提示を行わず、継続中であった討議の終了（ブレイク）を検出して、提示タイミングとする。【０１４４】
表示内容制御手段4273は、端末間接続情報記憶手段1221から、グループメンバに関する情報を受け取り、提示すべきグループメンバの参加者端末に対し前記送信情報生成手段4271にて作成した情報を送出し提示させる。【０１４５】
次に、図１４、図１５および図１６のフローチャートを参照して、提示情報制御の様子について説明する。ここでは、グループメンバ変更により、グループＡ（メンバは、仮にＡ０,Ａ１,Ａ２,Ａ３,Ａ４,Ａ５,Ａ６とする）のなかのあるメンバ（ここでは、メンバＡ０とする）が新規にグループＢ（メンバはＢ１,Ｂ２,Ｂ３,Ｂ４,Ｂ５,Ｂ６の６名とする）に加わった際の処理の情報提示の一例についてステップ毎に説明する。【０１４６】
端末間接続制御手段1223がグループ変更を決定する。この時点で、Ａ０の参加者端末にはこれまで属していたサブグループＡの参加者端末（Ａ１からＡ６）からの情報が提示され、Ｂ１からＢ６の参加者端末には、それぞれＢ１からＢ６の参加者端末からの情報が提示されている。（ステップＳ４０１）
提示タイミング決定手段4272は、グループ変更に関るメンバの会話状態を抽出する。（ステップＳ４０2）。関連するメンバが全員会話をしていなかった場合、端末間接続手段1224はグループ変更に伴う端末間接続変更を行い（Ａ０とＢ１−Ｂ６の端末が相互に通信、Ａ１−Ａ６の端末が相互に通信。）、グループ変更を終了する。（ステップＳ４０５）
Ａ０からＡ６，Ｂ１からＢ６のいずれかが話中の場合、送信情報制御手段4271は、参加者発言記憶手段から該当参加者の発言の先頭部分からの情報を抽出、送信情報の生成を行う。（ステップＳ４０６）
提示タイミング決定手段は該当する参加者の発言の状況を観察、送信情報生成手段4271が生成した発言情報の提示のタイミングを決定し、表示内容制御手段4273は、各端末に提示を行う。（ステップＳ４０４）
図１７に動作の一例を提示する。図１７のように制御することにより、Ａ０，Ａ１−Ａ６，Ｂ１−Ｂ６の発言が途中から始まるあるいはＡ０,Ａ１−Ａ６,Ｂ１−Ｂ６の発言が途中で終了することなく、グループ変更を終了することができる。【０１４７】
ここでは、発言の初めからとしたが、Ｂ１−Ｂ６に提示するＡ０の情報やＡ０に提示するＢ１−Ｂ６の情報は、それまでの参加者またはグループの発言の要約情報でもよい。【０１４８】
上記情報を再生することにより、実時間とのずれが生じるが、表示内容制御手段4273が参加者の発言のない無音時間をスキップして提示しない制御を行うことで双方の通信状態を、実時間の状態に戻す。（ステップＳ４０６）
以上のような構成をとることにより、会議参加者は、各サブグループ間での少人数での会議参加によるインタラクティブなコミュニケーションを実現しながら、会議中の的確なグループ変更により、会議に参加している全参加者からの意見収集やコミュニケーションを実現することができ、本発明の目的を達成することができる。【０１４９】
この際に、参加者間ではグループの変更にともなう、発言の途切れ・不具合（途中からの聴取／同時発話／発言の途中からの欠落）なく、議論を続けることが可能になる。
＜第５の実施の形態＞
次に発明を実施するための第５の実施の形態について図面を参照して説明する。【０１５０】
図１８を参照すると本発明の第五の最良の形態は、ネットワーク上に接続された複数の端末5100,5200,…,5Ｎ00から構成される。【０１５１】
複数の端末は、必要に応じてネットワークに接続され、端末数は任意の台数設定可能である。【０１５２】
前記ネットワーク上に接続された端末は、利用者の発する音声や利用者の状況を示す映像情報の受け付け、サーバまたは他の端末に送信するとともに、他の端末またはサーバから該端末に発信された映像または音声情報を受付、利用者に提示する。【０１５３】
これに加えて、参加者端末は、第１から第４までの実施の形態で示した、グループ会議制御サーバのコンポネントの一部機能を分担してもつ。【０１５４】
各端末間は互いに通信し、あたかもサーバが存在するかのように振舞う。ネットワーク上に参加者情報記憶手段をもつ端末（5200）が複数あり、参加者情報記憶手段を持つ端末同士が相互に通信することによりあたかもひとつの参加者情報記憶手段があるようにふるまってもよいし、ネットワーク上にただひとつが存在し、該端末がすべての参加者情報記憶を行ってもよい。また、端末のうちのいくつかは前記サーバ機能をもたない端末（5400）であってかまわない。【０１５５】
各端末のコンポネントは、一例として、それぞれ、第１の実施の形態から第４の実施の形態にしめしたように振舞う。端末間で情報を交換しながら自律的に接続状態を決定し、通信制御を行う。このような構成をとることによって、各サブグループ間では、少人数での会議参加によるインタラクティブなコミュニケーションを実現しながら、会議中の的確なグループ変更により、会議に参加している全参加者からの意見収集やコミュニケーションを実現することができ、本発明の目的を達成することができる。【０１５６】
本出願は、２００６年１２月２２日に出願された日本出願特願２００６−３４６２３３号を基礎とする優先権を主張し、その開示の全てをここに取り込む。
【産業上の利用可能性】
【０１５７】
本発明によれば、音声及び映像を用いてネットワークを通じてコミュニケーションを行う、テレビ会議装置やテレビ会議をコンピュータに実現するためのプログラムといった用途に適用できる。また、アイディア創出のための意見送出会議支援装置や、グループを通じた教育支援装置及びそれを実現するためのプログラムといった用途にも適用できる。
【図１】
2008078555.tif 000003
【図２】
2008078555.tif 000004
【図３】
2008078555.tif 000005
【図４】
2008078555.tif 000006
【図５】
2008078555.tif 000007
【図６】
2008078555.tif 000008
【図７】
2008078555.tif 000009
【図８】
2008078555.tif 000010
【図９】
2008078555.tif 000011
【図１０】
2008078555.tif 000012
【図１１】
2008078555.tif 000013
【図１２】
2008078555.tif 000014
【図１３】
2008078555.tif 000015
【図１４】
2008078555.tif 000016
【図１５】
2008078555.tif 000017
【図１６】
2008078555.tif 000018
【図１７】
2008078555.tif 000019
【図１８】
2008078555.tif 000020
【手続補正書】
【提出日】平成20年8月7日(2008.8.7)
【手続補正１】
【補正対象書類名】特許請求の範囲
【補正対象項目名】全文
【補正方法】変更
【補正の内容】
【特許請求の範囲】
【請求項１】
参加者を複数のグループにグループ化し、グループ毎にグループ化された参加者の端末間で双方向通信を行うように通信制御をするグループ会議制御方法において、
各グループ内の会議の状態を観測し、会議の状態に基づいて、参加者のグループ分けを会議中に変更することを特徴とするグループ会議制御方法。
【請求項２】
（削除）
【請求項３】
前記グループ分けの変更は、参加者が増えた場合、または、参加者が会議参加を終了した際に行われることを特徴とする請求項１に記載のグループ会議制御方法。
【請求項４】
前記グループ分けの変更は、グループでの会議での発言量または発言内容の少なくともいずれか一方を解析することにより行われることを特徴とする請求項１に記載のグループ会議制御方法。
【請求項５】
前記グループ分けの変更は、前記各グループの状態観測により各グループ非同期に行われることを特徴とする請求項１、請求項３又は請求項４のいずれかに記載のグループ会議制御方法。
【請求項６】
前記グループ分けの変更は、複数グループの統合、特定グループの分割、特定グループ間でのメンバ交換のいずれかひとつ、または、組み合わせであることを特徴とする請求項１、請求項３から請求項５のいずれかに記載のグループ会議制御方法。
【請求項７】
参加者のグループ分けは、各参加者の発言履歴を解析することにより行われることを特徴とする請求項１、請求項３から請求項６のいずれかに記載のグループ会議制御方法。
【請求項８】
参加者のグループ分けは、事前に作成した参加者の属性情報を利用することを特徴とする請求項１、請求項３から請求項６のいずれかに記載のグループ会議制御方法。
【請求項９】
参加者のグループ分けを会議管理者の指示により行うことを特徴とする請求項１、請求項３から請求項６のいずれかに記載のグループ会議制御方法。
【請求項１０】
各グループでの会議の発言量を観測し、発言量少ないグループについてグループ分けを変更することを特徴とする請求項１、請求項３から請求項９のいずれかに記載のグループ会議制御方法。
【請求項１１】
会議の初めまたは途中で、複数グループの参加者に対して同一の質問を送信し、質問に対する回答に基づいてグループ分類を行うことを特徴とする請求項１、請求項３から請求項１０のいずれかに記載のグループ会議制御方法。
【請求項１２】
グループ分けが行われた後に各参加者間で、それぞれの参加者の発言履歴を参照できるようにすることを特徴とした請求項１、請求項３から請求項１１のいずれかに記載のグループ会議制御方法。
【請求項１３】
前記グループ分け実行後に、参加者の発言要約等をタイムシフト再生することを特徴とする請求項１、請求項３から請求項１２のいずれかに記載のグループ会議制御方法。
【請求項１４】
前記タイムシフト再生により、ひとつまたは複数のグループ間でのメンバ交代のタイミングを同期させることを特徴とする請求項１３に記載のグループ会議制御方法。
【請求項１５】
参加者を複数のグループにグループ化し、グループ毎にグループ化された参加者の端末間で双方向通信を行うように通信の制御をするグループ会議制御システムにおいて、
各グループ内の会議の状態を観測し、前記会議の状態に基づいて、参加者のグループ分けを会議中に変更する変更手段を有することを特徴とするグループ会議制御システム。
【請求項１６】
（削除）
【請求項１７】
前記変更手段は、前記グループ分けの変更を、参加者が増えた場合、または、参加者が会議参加を終了した際に行うことを特徴とする請求項１５に記載のグループ会議制御システム。
【請求項１８】
前記変更手段は、前記グループ分けの変更を、グループでの会議での発言量、または、発言内容の少なくともいずれか一方を解析することにより行うことを特徴とする請求項１５に記載のグループ会議制御システム。
【請求項１９】
前記変更手段は、前記グループ分けの変更を、前記各グループの状態観測により各グループ非同期に行うことを特徴とする請求項１５、請求項１７又は請求項１８のいずれかに記載のグループ会議制御システム。
【請求項２０】
前記変更手段は、前記グループ分けの変更を、複数グループの統合、特定グループの分割、特定グループ間でのメンバ交換のいずれかひとつ、または、組み合わせ行うことを特徴とする請求項１５、請求項１７から請求項１９のいずれかに記載のグループ会議制御システム。
【請求項２１】
前記変更手段は、参加者のグループ分けを、各参加者の発言履歴を解析することにより行われることを特徴とする請求項１５、請求項１７から請求項２０のいずれかに記載のグループ会議制御システム。
【請求項２２】
前記変更手段は、参加者のグループ分けを、事前に作成した参加者の属性情報を利用することを特徴とする請求項１５、請求項１７から請求項２０のいずれかに記載のグループ会議制御システム。
【請求項２３】
前記変更手段は、参加者のグループ分けを、会議管理者の指示により行うことを特徴とする請求項１５、請求項１７から請求項２０のいずれかに記載のグループ会議制御システム。
【請求項２４】
前記変更手段は、各グループでの会議の発言量を観測し、発言量少ないグループについてグループ分けを変更することを特徴とする請求項１５、請求項１７から請求項２３のいずれかに記載のグループ会議制御システム。
【請求項２５】
前記変更手段は、会議の初めまたは途中で、複数グループの参加者に対して同一の質問を送信し、質問に対する回答に基づいてグループ分類を行うことを特徴とする請求項１５、請求項１７から請求項２４のいずれかに記載のグループ会議制御システム。
【請求項２６】
前記変更手段は、グループ分けが行われた後に各参加者間で、それぞれの参加者の発言履歴を参照できるようにすることを特徴とした請求項１５、請求項１７から請求項２５のいずれかに記載のグループ会議制御システム。
【請求項２７】
前記変更手段は、前記グループ分け実行後に、参加者の発言要約等をタイムシフト再生することを特徴とする請求項１５、請求項１７から請求項２６のいずれかに記載のグループ会議制御システム。
【請求項２８】
前記変更手段は、前記タイムシフト再生により、ひとつまたは複数のグループ間でのメンバ交代のタイミングを同期させることを特徴とする請求項２７に記載のグループ会議制御システム。
【請求項２９】
参加者を複数のグループにグループ化し、グループ毎にグループ化された参加者の端末間で双方向通信を行うように通信制御をするグループ会議制御システムのプログラムであって、
各グループ内の会議の状態を観測し、前記会議の状態に基づいて、参加者のグループ分けを会議中に変更する変更処理を情報処理装置に実行させることを特徴とするプログラム。
【請求項３０】
（削除）
【請求項３１】
前記変更処理は、前記グループ分けの変更を、参加者が増えた場合、または、参加者が会議参加を終了した際に行うことを特徴とする請求項２９に記載のプログラム。
【請求項３２】
前記変更処理は、前記グループ分けの変更を、グループでの会議での発言量、または、発言内容の少なくともいずれか一方を解析することにより行うことを特徴とする請求項２９又は請求項３１に記載のプログラム。
【請求項３３】
前記変更処理は、前記グループ分けの変更を、前記各グループの状態観測により各グループ非同期に行うことを特徴とする請求項２９、請求項３１又は請求項３２のいずれかに記載のプログラム。
【請求項３４】
前記変更処理は、前記グループ分けの変更を、複数グループの統合、特定グループの分割、特定グループ間でのメンバ交換のいずれかひとつ、または、組み合わせ行うことを特徴とする請求項２９、請求項３１から請求項３３のいずれかに記載のプログラム。
【請求項３５】
前記変更処理は、参加者のグループ分けを、各参加者の発言履歴を解析することにより行われることを特徴とする請求項２９、請求項３１から請求項３４のいずれかに記載のプログラム。
【請求項３６】
前記変更処理は、参加者のグループ分けを、事前に作成した参加者の属性情報を利用することを特徴とする請求項２９、請求項３１から請求項３４のいずれかに記載のプログラム。
【請求項３７】
前記変更処理は、参加者のグループ分けを、会議管理者の指示により行うことを特徴とする請求項２９、請求項３１から請求項３４のいずれかに記載のプログラム。
【請求項３８】
前記変更処理は、各グループでの会議の発言量を観測し、発言量少ないグループについてグループ分けを変更することを特徴とする請求項２９、請求項３１から請求項３７のいずれかに記載のプログラム。
【請求項３９】
前記変更処理は、会議の初めまたは途中で、複数グループの参加者に対して同一の質問を送信し、質問に対する回答に基づいてグループ分類を行うことを特徴とする請求項２９、請求項３１から請求項３８のいずれかに記載のプログラム。
【請求項４０】
前記変更処理は、グループ分けが行われた後に各参加者間で、それぞれの参加者の発言履歴を参照できるようにすることを特徴とした請求項２９、請求項３１から請求項３９のいずれかに記載のプログラム。
【請求項４１】
前記変更処理は、前記グループ分け実行後に、参加者の発言要約等をタイムシフト再生することを特徴とする請求項２９、請求項３１から請求項４０のいずれかに記載のプログラム。
【請求項４２】
前記変更処理は、前記タイムシフト再生により、ひとつまたは複数のグループ間でのメンバ交代のタイミングを同期させることを特徴とする請求項４１に記載のプログラム。
【国際調査報告】
2008078555.tif 000021
2008078555.tif 000022
2008078555.tif 000023
2008078555.tif 000024